(57)【要約】  本発明は、特に乗用車または二輪車等の自動車両内の少なくとも一つのモバイル端末と、前記車両と前記モバイル端末間の通信用インタフェースとで、前記少なくとも一つのモバイル端末を利用するシステムに関する。公知である車両内のモバイル端末の利用システムを改良するために、本発明においては、前記車両内に、前記車両の一つまたは複数の制御装置にどのようなシーケンス制御および／または制御装置データが記憶および／またはインストールされているかを表示するソフトウェア・バージョン・メッセージを伝送するための、ソフトウェア・バージョン伝送装置を備えることが提案される。前記ソフトウェア・バージョン・メッセージは、前記ソフトウェア・バージョン伝送装置から、前記モバイル端末および／または車外ダウンロード装置に伝送される。前記ソフトウェア・バージョン・メッセージは、前記車外ダウンロード装置が、ダウンロードの準備が整った一つまたは複数の最新のシーケンス制御および／または制御装置データを有しているか否かを確認するために、評価される。前記一つまたは複数の最新のシーケンス制御および／または制御装置データは、通信用接続手段を介してダウンロードされ、前記ダウンロードされたシーケンス制御および／または制御装置データは前記モバイル端末に記憶される。前記モバイル端末に記憶されたシーケンス制御および／または制御装置データは、アップデート装置により少なくとも一つの当該制御装置に記憶および／またはインストールされる。【特許請求の範囲】
【請求項１】
特に乗用車や二輪車等の自動車両内の少なくとも一つのモバイル端末と、前記自動車両と前記モバイル端末間の通信用インタフェースとを有し、前記少なくとも一つのモバイル端末を利用するシステムにおいて、
‐前記自動車両内に、前記自動車両の一つまたは複数の制御装置にどのようなシーケンス制御および／または制御装置データが記憶および／またはインストールされているかを表示するソフトウェア・バージョン・メッセージを伝送するための、ソフトウェア・バージョン伝送装置が備えられ、
‐前記ソフトウェア・バージョン・メッセージが、前記ソフトウェア・バージョン伝送装置から、前記モバイル端末および／または車外ダウンロード装置に伝送され、
‐前記車外ダウンロード装置がダウンロードの準備が整っている一つまたは複数の最新のシーケンス制御および／または制御装置データを有しているか否かを確認するために、前記ソフトウェア・バージョン・メッセージが評価され、
‐前記一つまたは複数の最新のシーケンス制御および／または制御装置データを、通信用接続手段を介してダウンロードして、および前記ダウンロードされたシーケンス制御および／または制御装置データを、前記モバイル端末へ記憶すること、および、
‐前記モバイル端末に記憶されたシーケンス制御および／または制御装置データを、少なくとも一つの該当制御装置に記憶および／またはインストールさせる、アップデート装置
を特徴とする、システム。
【請求項２】
請求項１に記載のシステムにおいて、
前記モバイル端末が、携帯電話、ＰＤＡすなわちパーソナル・デジタル・アシスタント、ノートブック、またはその他のモバイル・コンピュータ、たとえば特にモバイル・エンターテインメント装置であることを特徴とする、システム。
【請求項３】
請求項１または２に記載のシステムにおいて、
前記モバイル端末が、アップデートの枠内で、常時または一時的にインターネット・プロトコル（ＩＰ）を介して通信することを特徴とする、システム。
【請求項４】
請求項１に記載のシステムにおいて、
前記ソフトウェア・バージョン・メッセージが前記モバイル端末に記憶され、前記モバイル端末が、前記ソフトウェア・バージョン・メッセージを前記車外ダウンロード装置に伝送すること、その際、前記ソフトウェア・バージョン伝送装置が前記モバイル端末内に備えられ、前記車外ダウンロード装置が、前記車両のメーカにより、または前記車両メーカの委託により運営されることを特徴とする、システム。
【請求項５】
請求項１〜４のいずれか一項に記載のシステムにおいて、
前記車外ダウンロード装置が前記ソフトウェア・バージョン・メッセージを評価すること、および／または、前記一つまたは複数の最新のシーケンス制御および／または制御装置データが、車両および／または前記車両の運転者の家庭内環境の、たとえば特にブロードバンド・インターネット接続等の通信用接続手段を介して、たとえばＵＭＴＳ、ＷＬＡＮ、ＧＳＭないしはＳＭＳ等を介して間接的にまたは直接、前記モバイル端末に伝送されることを特徴とする、システム。
【請求項６】
請求項５に記載のシステムにおいて、
前記一つまたは複数の最新のシーケンス制御および／または制御装置データが、家庭内エリアでブロードバンド・インターネット接続、たとえば特にＤＳＬ接続に接続されているＰＣまたはノートブックを介在して間接的に前記モバイル端末に伝送されることを特徴とする、システム。
【請求項７】
請求項１〜６のいずれか一項に記載のシステムにおいて、
前記アップデート装置が、前記モバイル端末の内部および／または車内に備えられ、当該アップデート装置により、前記一つまたは複数のシーケンス制御および／または制御装置データのアップデートに先立って、前記一つまたは複数のシーケンス制御および／または制御装置データの許可検査および／または認証検査が実行されることを特徴とする、システム。
【請求項８】
請求項７に記載のシステムにおいて、
前記許可検査および／または認証検査が、公開キー暗号方式を使用して実行されることを特徴とする、システム。
【請求項９】
請求項８に記載のシステムにおいて、
前記一つまたは複数のシーケンス制御および／または制御装置データに、前記ダウンロード装置によりハッシュ・アルゴリズムが適用されており、その際に算出されたハッシュ値が、前記一つまたは複数のシーケンス制御および／または制御装置データと共に、前記車外ダウンロード装置の一つの秘密キーにより暗号化され、前記アップデート装置に、前記秘密キーを補完する前記ダウンロード装置の公開キーが、好ましくは偽造防止策を講じて記憶されており、前記公開キーが、前記一つまたは複数のシーケンス制御および／または制御装置データ、および前記ハッシュ値の暗号を解読するために使用され、前記アップデート装置が、前記ハッシュ・アルゴリズムを前記一つまたは複数のシーケンス制御および／または制御装置データに適用し、その際に算出されるハッシュ値が、前記暗号解読により算出されたハッシュ値と比較され、両方のハッシュ値が一致すると、検査結果が肯定的であるとして、前記許可検査および／または認証検査が終了されることを特徴とする、システム。
【請求項１０】
請求項１〜９のいずれか一項に記載のシステムにおいて、
前記ソフトウェア・バージョン・メッセージが、特に制御装置の故障メモリへの登録につながるような車両の技術的な故障に応答して、および／または、それ以外の方式で、車両イベント・ドリブン方式により、および／または所定の時間間隔で、前記ソフトウェア・バージョン伝送装置から伝送されることを特徴とする、システム。
【請求項１１】
請求項１〜１０のいずれか一項に記載のシステムにおいて、
前記ソフトウェア・バージョン・メッセージに、好ましくは車両故障データ、および／または好ましくは車両診断データ、および／または好ましくは車両を明確に同定する情報、車両ＩＤ情報が備えられ、特に各制御装置のソフトウェア内の一つまたは複数の車両故障が、前記アップデート装置により、前記一つまたは複数の最新のシーケンス制御および／または制御装置データが少なくとも一つの該当制御装置に記憶および／またはインストールされることによって、除去されることを特徴とする、システム。
【請求項１２】
請求項１〜１１のいずれか一項に記載のシステムにおいて、
前記ダウンロード装置により、修理および／または点検メッセージが前記モバイル端末に伝送され、前記修理および／または点検メッセージが運転者に好ましくは表示されることによって、その内容が運転者に通知されることを特徴とする、システム。
【請求項１３】
請求項１〜１２のいずれか一項に記載のシステムにおいて、
車内に表示装置および操作装置が備えられており、前記モバイル端末の内部および／または車内に、前記モバイル端末の各種機能および／またはソフトウェア・アプリケーションを操作するための操作および／または表示表面を前記車両表示装置に呼び出し、前記車両操作装置を介して操作される、端末装置シーケンス制御を有する端末統合装置が備えられていることを特徴とする、システム。
【請求項１４】
請求項１〜１３のいずれか一項に記載のシステムにおいて、
前記ソフトウェア・バージョン・メッセージに、車内および／または前記モバイル端末に備えられたナビゲーション・システムの衛星受信器、特にＧＰＳ受信器に基づいて算出され、車両の地理上の位置に関する情報、すなわち場所情報が備えられていること、その際、好ましくは車両の運転者が、システムを手動により、および／または音による許可により、許可した場合に初めて、前記ソフトウェア・バージョン・メッセージに、前記車両の場所情報が備えられることを特徴とする、システム。
【発明の詳細な説明】
【技術分野】
【０００１】
本発明は、請求項１の上位概念（所謂おいて部分、プリアンブル部分）に係る、車両内の少なくとも一つのモバイル端末の利用システムに関する。
【背景技術】
【０００２】
ブルートゥース短距離無線通信システムを介して車両と通信して、車両のフリートーク装置を介して通話が行われるようにする携帯電話を使用することが知られている。車両のいわゆる「モバイル統合ユニット」は、この携帯電話の電話番号にアクセスして、これを車両のディスプレイに表示できるようにする。車両のマン・マシン・インタフェースの操作装置により、携帯電話に記憶されたダイヤルアップ番号を選択することができる。車内に組み付けられたディスプレイのメニュー構成およびメニュー・ガイドは、車内にあるシーケンス制御ないしはプログラム・コントローラにより決定される。
【発明の開示】
【発明が解決しようとする課題】
【０００３】
本発明の課題は、車両内のモバイル端末の改良型利用システムを提供することにある。
【課題を解決するための手段】
【０００４】
この課題は、請求項１に記載の各特徴により解決される。有利な展開構成例は、従属請求項の対象となっている。
【発明を実施するための最良の形態】
【０００５】
車両内には、本発明にしたがって、車両の一つまたは複数の制御装置にどのようなシーケンス制御および／または制御装置データが記憶および／またはインストールされているかを表示するソフトウェア・バージョン・メッセージを伝送するための、ソフトウェア・バージョン伝送装置が備えられている。ソフトウェア・バージョン・メッセージは、ソフトウェア・バージョン伝送装置から、モバイル端末および／または車外ダウンロード装置に伝送される。このソフトウェア・バージョン・メッセージは、車外ダウンロード装置が、ダウンロードの準備が整っている一つまたは複数の最新のシーケンス制御および／または制御装置データを有しているか否かを確認するために、評価される。この一つまたは複数の最新のシーケンス制御および／または制御装置データは、通信用接続手段を介してダウンロードされ、ダウンロードされたシーケンス制御および／または制御装置データはモバイル端末に記憶される。モバイル端末に記憶されたシーケンス制御および／または制御装置データは、アップデート装置により少なくとも一つの当該制御装置に記憶および／またはインストールされる。
【０００６】
本発明にしたがったシステムにより、有利なことにも、車両の一つまたは複数の制御装置内にあるソフトウェアが、一部または完全にアップデートないしは交換または補足されるようになっている、いわゆる「テレ・サービス（TeleService）」の枠内で、車両内にある移動端末を利用することが可能となる。このソフトウェアは、本発明においては特に一つまたは複数のシーケンス制御および／または制御装置のデータ、たとえばいわゆる特性マップとなっている。
【０００７】
本発明の実施形態においては、このモバイル端末が、携帯電話、ＰＤＡすなわちパーソナル・デジタル・アシスタント、ノートブック、またはその他のモバイル・コンピュータ、たとえば特にモバイル・エンターテインメント装置となっている。
【０００８】
本発明の構成例において、モバイル端末は、アップデートの枠内で、常時または一時的にインターネット・プロトコル（ＩＰ）を介して通信するようになっている。インターネット・プロトコルにより、特にネット上で普及するアドレス指定、および、モバイル端末と、これに対応する車両コンポーネントおよび／または車外ダウンロード装置との適切な結合が可能となる。ほかにも通信の暗号化を実施することができる。
【０００９】
本発明の別の実施形態においては、ソフトウェア・バージョン・メッセージがモバイル端末に記憶され、モバイル端末が、このソフトウェア・バージョン・メッセージを車外ダウンロード装置に伝送するようになっている。それにより、モバイル端末の通信能力を低コストで利用できると同時に、この目的のために車内にわざわざ備えられる専用の通信コンポーネントを廃止することができる。
【００１０】
ソフトウェア・バージョン伝送装置は、モバイル端末の内部に備えられることが好ましい。この対策により、これに対応するコンポーネントを車内に備える必要がなくなるために、特にコストを節減することができる。車外ダウンロード装置は、車両のメーカにより、または車両メーカの委託により運営されることが好ましく、それにより不正操作に対する高度のセキュリティを達成することができる。
【００１１】
本発明のさらに別の実施形態においては、車外ダウンロード装置がソフトウェア・バージョン・メッセージを評価する、および／または、一つまたは複数の最新のシーケンス制御および／または制御装置データが、車両および／または車両の運転者の家庭内環境の、たとえば特にブロードバンド・インターネット接続等の通信用接続手段を介して、たとえばＵＭＴＳ、ＷＬＡＮ、ＧＳＭないしはＳＭＳ等を介して間接的に、または直接、モバイル端末に伝送されるようになっている。
【００１２】
本システムの展開構成例においては、一つまたは複数の最新のシーケンス制御および／または制御装置データが、家庭内エリアでブロードバンド・インターネット接続、たとえば特にＤＳＬ接続に接続されているＰＣまたはノートブックを介在して間接的にモバイル端末に伝送されるようになっている。これは、特に車両のインターネット接続が、家庭内のインターネット接続よりも格段と遅い、および／または格段と高額である場合に、有利となる。ほかにも場合によってはＰＣとそのキーボードを利用して、このプロセスを格段と快適に、および／または確実に、および／または急速に実施できるようになる。
【００１３】
本発明の別の構成例においては、アップデート装置がモバイル端末の内部および／または車内に備えられるようになっている。このアップデート装置により、一つまたは複数のシーケンス制御および／または制御装置データのアップデートに先立って、一つまたは複数のシーケンス制御および／または制御装置データの許可検査および／または認証検査が実行されると好適である。許可検査により、アクセスを制限する、および／または費用負担義務のあるアクセスを可能とすることができる。認証検査により、伝送される情報の不正な操作ないしは偽造の潜在的な怖れをかなり低減することができる。
本発明の展開構成例においては、許可検査および／または認証検査が、公開キー暗号方式（ＰＫＩ）を使用して実行されるようになっている。
【００１４】
本発明の別の構成例においては、一つまたは複数のシーケンス制御および／または制御装置データに、ダウンロード装置によりハッシュ・アルゴリズムが適用されるようになっている。その際に算出されるハッシュ値は、一つまたは複数のシーケンス制御および／または制御装置データと一緒に、車外ダウンロード装置の一つの秘密キーにより暗号化される。アップデート装置には、この秘密キーを補完するダウンロード装置の公開キーが、好ましくは偽造防止策を講じて記憶されるようになっている。この公開キーは、一つまたは複数のシーケンス制御および／または制御装置データ、およびハッシュ値の暗号を解読するために使用される。アップデート装置は、ハッシュ・アルゴリズムを一つまたは複数のシーケンス制御および／または制御装置データに適用する。その際に算出されるハッシュ値は、暗号解読により算出されたハッシュ値と比較され、両方のハッシュ値が一致すると、検査結果が肯定的であるとして、許可検査および／または認証検査が終了される。
【００１５】
この公知であるＰＫＩシステムを本発明にしたがったシステムに使用することにより、特に伝送されアップデートされる車両の制御装置用のソフトウェアの偽造を、そのための新たな暗号化システムの構築を不要として、効果的に防止できるようになる。
【００１６】
本発明の別の構成例においては、ソフトウェア・バージョン・メッセージが、特に制御装置の故障メモリへの登録につながるような車両の技術的な故障に応答して伝送されるようになっている。あるいはその代わりに、またはそれに補足して、ソフトウェア・バージョン・メッセージは、車両イベント・ドリブン方式により、および／または所定の時間間隔で、ソフトウェア・バージョン伝送装置から伝送される。
【００１７】
本発明の別の実施形態においては、ソフトウェア・バージョン・メッセージに、好ましくは車両故障データ、および／または好ましくは車両診断データ、および／または好ましくは車両を明確に同定する情報、車両ＩＤ情報が備えられるようになっている。特に各制御装置のソフトウェア内の一つまたは複数の車両故障は、アップデート装置により、一つまたは複数の最新のシーケンス制御および／または制御装置データが少なくとも一つの当該制御装置に記憶および／またはインストールされることによって、除去されるようになっている。
【００１８】
上述の諸対策により、車両の信頼性を大幅に向上することができる、ないしはソフトウェアのアップデートにより故障を速やかに除去することができる。伝送される車両診断データおよび伝送される車両ＩＤ情報により、車外ダウンロード装置側での、アップデートないしは故障除去のための適切なソフトウェアの選択を支援することができる。
【００１９】
本発明の別の構成例においては、ダウンロード装置により、修理および／または点検メッセージがモバイル端末に伝送され、その内容が運転者に通知ないしは好ましくは表示されるようになっている。これらの対策により、運転者には、故障を知る可能性、ないしは運転者を支援のためにプロセスに「引き込む」可能性が与えられる。必要な場合は、運転者に対し、故障除去のためにできるだけ早く車両とともにサービス工場を訪ねることを要請する、またはサービス工場に故障車両がそこに向かっていることを知らせるようにすることができる。
【００２０】
本発明のさらに別の構成例においては、車内に表示装置および操作装置が備えられている。モバイル端末の内部および／または車内には、モバイル端末の各種機能および／またはソフトウェア・アプリケーションを操作するための操作および／または表示表面を車両表示装置に呼び出す、車両操作装置を介して操作される、端末装置シーケンス制御を有する端末統合装置が備えられている。
【００２１】
表示装置および操作装置により、運転者を引き込むないしは関与させることによって、アップデートを効果的に支援することができる。
最後に本発明の展開構成例においては、ソフトウェア・バージョン・メッセージに、車内および／またはモバイル端末の内部に備えられたナビゲーション・システムの衛星受信器、特にＧＰＳ受信器に基づいて算出されることが好ましい、車両の地理上の位置に関する情報、すなわち場所情報が備えられるようになっている。この場所情報は、たとえば故障車両のもとに派遣されることになる車両に場所情報を伝送するために利用することができる。ほかにも、たとえばこの場所の位置に基づいて、車両の近くにどのサービス工場があるかを突き止めることができる。その場合は、相応のルートが車両ナビゲーション・システムに伝送され、それにより車両が当該サービス工場まで誘導されるようにするとよい。
【００２２】
ソフトウェア・バージョン・メッセージには、車両の運転者が、そのためにシステムを手動により、および／または音による許可により、許可した場合に初めて、車両の場所情報が備えられるようにすると好適である。この対策は、運転者による許可を必要とすることでデータ保護の観点に配慮することによって、本発明にしたがったシステムの使用に対する容認度を増大する一助となる。
【国際調査報告】
2008523743.tif 000002
2008523743.tif 000003
2008523743.tif 000004
2008523743.tif 000005
2008523743.tif 000006
2008523743.tif 000007